(57)【要約】【課題】容易に噴霧面積を調整できる自動スプレーガンの噴霧面積調整構造を提供する。【解決手段】スプレーガン１０、ノズル１２及びノズルキャップ２０を備える。スプレーガン１０の後部に弁１４が設置され、穴１５の内部にノズルニードル１６が設置され、ノズルニードル１６の後端に固定板１７が接続されている。カバーキャップ３０と固定板１７との間にばね１８が組み合わされ、ノズルニードル１６の前端がノズル１２に対して詰まった状態を維持する。カバーキャップ３０の後部の中心に内ねじ穴３２を有する筒状部分３１が設置され、筒状部分３１に調整ボタン４０が設置されている。調整ボタン４０の内縁面の挿入穴４４に固定ねじ５０が挿入されている。固定ねじ５０が内ねじ穴３２に挿入される度合いが調整されることで、噴霧面積を調整する。【選択図】図３
0003150385.tif 000002
【実用新案登録請求の範囲】
【請求項１】
出力チューブに吊り下げられて設置されるスプレーガンであって前端に隔室が形成されているノズル部分と、
外壁に設けられ、周辺の出入チューブ及び塗料チューブと接続可能なチューブコネクタと、
後部に設置されている弁と、
前記弁の中心部から前記スプレーガンの前端の前記隔室まで貫通する穴の内部を貫通して設置されているノズルニードルと、
前記ノズルニードルの後端に接続されている固定板と、
前記弁の開口部のカバーキャップと前記固定板との間に挟まれて設置されているばねと、
前記ノズルニードルの前端によってノズルヘッドが詰まった状態を維持すると同時に、前記ノズルニードルに昇降する機能を持たせて、前記カバーキャップの後部の中心に内ねじ穴を有する筒状部分と、
前記筒状部分の内壁には環状くぼみ槽が形成され、前記筒状部分に調整ボタンが設置され、該調整ボタンの側面に設置されている固定穴と、
該固定穴に挿入されているスチールボールとを備え、
前記筒状部分のはめ込み槽にはめ込まれて、ねじによって固定されることで、前記調整ボタンと前記カバーキャップの前記筒状部分のはめ込み関係が維持されて、前記調整ボタンの内縁面には挿入穴が設置されて固定ねじが挿入され、前記固定ねじの中段には前記カバーキャップの前記筒状部分の中心の前記内ねじ穴に対応するねじ込み部分が設置され、前記調整ボタンの回転調整によって前記固定ねじが前記カバーキャップの前記筒状部分の前記内ねじ穴に挿入される度合いが調整されることで、前記固定ねじが前記弁の内部に突出する幅を変化させて、前記ノズルニードルが風圧を受けて押されて上昇する時、前記固定ねじが異なる程度で当たり、前記ノズルニードルの前記ノズルにおける開口の度合いを制御することで、噴霧面積を調整する機能を達成することを特徴とする自動スプレーガン。
【請求項２】
前記調整ボタンの内縁面の前記挿入穴は、六角形で、前記固定ねじもまた六角形状のステム形態であり、前記固定ねじの後端にはトーションばねが挿入され、前記トーションばねの他端は六角形の止め金に挿入され、前記ねじは前記止め金を通過し、前記トーションばねが前記固定ねじの後端のねじ穴にねじ込まれて一体となった後、前記調整ボタンの内縁面の前記挿入穴の中に挿入され、前記トーションばねの作用によって前記調整ボタンと前記固定ねじがしっかりと固定されて回転する連動関係が得られることを特徴とする請求項１に記載の自動スプレーガン。
【請求項３】
前記カバーキャップの内縁面には目盛板及びワッシャーが密封設置されていることで、前記弁の内部に設置されている前記ばねが当たり、前記目盛板はさらに固定端に挿入接続されて連動関係を得て、前記目盛板の板面には所定の数の目盛が刻まれ、前記カバーキャップの内縁面にはめ込まれた固定スチールボール及び前記ばねが押し上げて当たる作用が組み合わせて、前記固定ねじと前記調整ボタンの調整固定効果を得ることを特徴とする請求項１に記載の自動スプレーガン。
【請求項４】
前記調整ボタンと前記カバーキャップのはめ込み接続面部位に目盛を施すことで、調整状態を判断可能であることを特徴とする請求項１に記載の自動スプレーガン。
【考案の詳細な説明】
【技術分野】
【０００１】
本考案は、スプレーガンのノズルの開口幅を変化させて、噴霧面積の調整を行うことで、塗装設備のスプレーガンに関し、詳しくは自動スプレーガンの噴霧面積調整構造に関する。
【背景技術】
【０００２】
自動スプレーガンの構造は、定量スプレー方式を採用しており、スプレー作業時の噴霧面積は決まった大きさである。しかしながら、このタイプのスプレー方式は、どの作業にも適するとは限らない。例えば、精密製品に対しては噴霧面積が大きすぎ、大型の大型加工物に対しては小さすぎるという状況が発生する。このような場合、作業の必要に応じて規格の異なる自動スプレーガンに交換する必要があり、作業に不便を生じる。
【考案の概要】
【考案が解決しようとする課題】
【０００３】
したがって、本考案は、作業の必要性に応じてスプレーガンのノズルの開口幅を変化させて、噴霧面積の調整を行うことで、塗装設備のスプレーガン使用に応用される自動スプレーガンの噴霧面積調整構造を提供することを課題とする。
【課題を解決するための手段】
【０００４】
上記課題を解決するために、本考案は、作業の必要性に応じてスプレーガンのノズルの開口幅を変化させて、噴霧面積の調整を行うことで、塗装設備のスプレーガン使用に応用される自動スプレーガンの噴霧面積調整構造を提供することを目的とする。
上記目的を達成するために、本考案は以下の構造を備える。本考案のスプレーガンの本体後部に弁を設置し、弁の中心にスプレーガン本体前部の隔室まで貫通する穴を設置し、さらに、前記貫通穴内にノズルニードルを貫通させる。ノズルニードル後端には固定板が固定される。バルブの開口部のカバーキャップとの間に挟まれて設置されるばねを組み合わせて、ノズルニードルの前端がノズルに対して詰まった状態を維持する。前記カバーキャップ後部には、内ねじ穴を有する筒状部分の成形により製作され、調整ボタンセットとすることで、調整ボタンに固定ねじが挿入されて筒状部分中心のねじ穴に固定される。さらに、トーションばねによって固定ねじと調整ボタンの相互連結関係が維持されることにより、調整ボタンが固定ねじのカバーキャップの筒状部分に挿入される際の度合いを調整して、固定ねじの弁内における長さの度合いを変化させる。このように、ノズルニードルが風圧を受けて上昇した時、固定ねじは必要に応じて位置が調整され、ノズルニードルがノズルの開口度に合わせて調整されることで、噴霧面積の調整を行う。
【考案の効果】
【０００５】
本考案の自動スプレーガンの噴霧面積調整構造は、作業の必要性に応じてスプレーガンのノズルの開口幅を変化させて、噴霧面積の調整を行うことで、塗装設備のスプレーガン使用に応用される自動スプレーガンの噴霧面積を調整する。
【図面の簡単な説明】
【０００６】
【図１】本考案の一実施形態による自動スプレーガンの噴霧面積調整構造を示す斜視図である。
【図２】本考案の一実施形態による自動スプレーガンの噴霧面積調整構造を示す分解斜視図である。
【図３】本考案の一実施形態による自動スプレーガンの噴霧面積調整構造の噴霧面積が小さい場合の構造関係を示す断面図である。
【図４】本考案の一実施形態による自動スプレーガンの噴霧面積調整構造の噴霧面積が小さい場合の構造関係を示す断面図である。
【図５】本考案の一実施形態による自動スプレーガンの噴霧面積調整構造の噴霧面積が大きい場合の構造関係を示す断面図である。
【図６】本考案の一実施形態による自動スプレーガンの噴霧面積調整構造の噴霧面積が大きい場合の構造関係を示す断面図である。
【考案を実施するための形態】
【０００７】
以下、図面を参照して本考案の好適な実施形態について説明する。
図１は本考案の一実施形態による自動スプレーガンの噴霧面積調整構造を示す斜視図であり、図２は本実施形態の構造を示す分解斜視図であり、図３から図６は構造の断面図である。本考案の一実施形態による自動スプレーガンの噴霧面積調整構造において、自動スプレーガンの構造は、機具上に吊り下げて設置されるスプレーガン１０を有し、スプレーガン１０の前端に隔室１１が設置されてノズル１２部分を構成する。さらに、ノズルキャップ２０によって密封されて固定され、ノズル１２の前端のノズルヘッド１３はノズルキャップ２０の中心に位置する穴２１内に露出する。スプレーガン１０周辺には出入チューブ、塗料チューブ等の関連するチューブコネクタ（符号は付記されない）が設置される。空圧設備及び塗料筒が接続されること、スプレーガン１０後部に弁１４が設置されること、弁１４の中心にスプレーガン１０前端の隔室１１まで貫通する穴１５が設置されることにより、穴１５内にノズルニードル１６が貫通して設置される。ノズルニードル１６後端には固定板１７が接続されて、弁１４の開口部のカバーキャップ３０内縁に密封して設置される目盛板３５及びワッシャー３８と、固定板１７との間に挟まれて設置されるばね１８とが組み合わされることで、押し上げられて当たる。ノズルニードル１６前端がノズル１２に対してノズルヘッド１３が詰まった状態を維持すると同時に、ノズルニードル１６に昇降する機能を持たせて、カバーキャップ３０後部に筒状部分３１を成形して設置する。筒状部分３１中心にはさらに内ねじ穴３２が設置される。筒状部分３１のベース部分周辺には環状くぼみ槽３３が設置される。さらに、筒状部分３１の外端にははめ込み槽３４が設置され、筒状部分３１と環状くぼみ槽３３を組み合わせることで、調整ボタン４０のセットが形成される。調整ボタン４０側面に固定穴４１が設置されてスチールボール４２が挿入されて、筒状部分３１のはめ込み槽３４にはめ込まれて、ねじ４３によって固定されることで、調整ボタン４０とカバーキャップ３０の筒状部分のはめ込み関係が維持されて、調整ボタン４０がカバーキャップ３０から離脱するのを回避する。さらに、調整ボタン４０とカバーキャップ３０のはめ込みの際の接続面部位には目盛（表示はされない）が刻まれて、調整状態を知ることができる。調整ボタン４０内縁面には六角形の挿入穴４４が設置されて、挿入穴４４に六角形の固定ねじ５０が挿入される。固定ねじ５０の中段にはカバーキャップ３０の筒状部分３１中心の内ねじ穴３２に対応するねじ込み部分５１が設置される。さらに、固定ねじ５０は後端にトーションばね５３が挿入され、トーションばね５３の他端が六角形の止め金５４に挿入される。ねじ５５が止め金５４を通過し、トーションばね５３が固定ねじ５０後端のねじ穴５２にねじ込まれて一体となった後、調整ボタン４０内縁面の挿入穴４４中に挿入される。トーションばね５３の作用によって、調整ボタン４０と固定ねじ５０がしっかりと固定されて回転する連動関係が得られる。固定ねじ５０前端のステム部分がカバーキャップ３０の筒状部分３１の内ねじ穴３２にねじ込まれた後、カバーキャップ３０内部にはめ込まれている目盛板３５と結合して連動関係を得る。目盛板３５の板面には所定の数（約５０個のぎざ）の目盛３６が刻まれ、カバーキャップ３０内縁面にはめ込まれた固定スチールボール３７及びばね１８が押し上げて当たる作用が組み合わされて、固定ねじ５０と調整ボタン４０の調整固定効果を得る。この構成により、本実施形態の自動スプレーガンの噴霧面積調整機能の基本構造を得る。
【０００８】
上述の構造により、自動スプレーガンの噴霧面積の大きさを調整する場合、調整ボタン４０を回転させることで、固定ねじ５０が回転して、固定ねじ５０に設置されているカバーキャップ３０の筒状部分３１の内ねじ穴３２への挿入の度合いを調整する。固定ねじ５０前端のスプレーガン１０の弁１４内に突出する長さが変化することにより、固定ねじ５０の弁１４に突出する長さがノズルニードル１６が風圧を受けて押されて後退する幅を決定する。つまり、固定ねじ５０の挿入の度合いが大きいほど、突出する長さが長くなる。ノズルニードル１６が空圧設備の空気進入を受けて当たり、後退する幅が小さいほど、ノズルニードル１６前端がノズル１２のノズルヘッド１３から離脱する幅が小さくなり、効果的な噴霧効果を得る。したがって、噴霧面積が大きいほど、逆に、固定ねじ５０の挿入の度合いが小さく、突出する長さが短くなって、ノズルニードル１６が空圧設備に空気が進入するのを受けて当たる。後退する幅が大きいほど、ノズルニードル１６前端がノズル１２のノズルヘッド１３から離脱する幅が大きくなって、効果的な噴霧効果が得られず、集中する状態が生じ、噴霧面積が小さくなる。つまり、調整ボタン４０によって固定ねじ５０の挿入の度合いが調節されることで、ノズルニードル１６に対して異なる程度の固定作用が形成されて、ノズルニードル１６とノズル１２のノズルヘッド１３の開閉の幅に変化が生じる。このようにして、自動スプレーガンの噴霧面積の大きさを調節する機能を達成して、塗装作業の必要に応じて適当な調整が行えることで、好適な塗装効果を得る。
【０００９】
調節の際には、調整ボタン４０とカバーキャップ３０のはめ込み接続面の部位に目盛を施すことで、カバーキャップ３０内縁面に固定スチールボール３７及び目盛板３５の目盛３７の分度固定作用を組み合わせ、噴霧面積を分段微調整する機能を得る。目盛によって簡単に調整設定値を知ることができるため、調整作業全体が簡単に行える。したがって、異なる対象物への塗装作業においても、直接自動スプレーガンの噴霧面積を調整することで、最適な塗装効果を得て、従来の構造が有する問題を徹底的に解決する。
【００１０】
上述のように、本実施形態の自動スプレーガンの構造は、スプレーガン後部に設置される調整ボタンによって固定ねじがカバーキャップに挿入される度合いを調整することで、固定ねじがスプレーガンのノズルニードルに対して異なる幅で当たって固定されることにより、スプレーガンのノズルヘッドの開口幅を変化させて、噴霧面積を調整する機能を達成する。したがって、異なる作業対象に対しても最適な調整効果を得ると同時に、調整操作が簡単に行えるという特徴を有する。
【符号の説明】
【００１１】
１０：スプレーガン、１１：隔室、１２：ノズル、１３：ノズルヘッド、１４：弁、１５：穴、１６：ノズルニードル、１７：固定板、１８：ばね、２０：ノズルキャップ、２１：穴、３０：カバーキャップ、３１：筒状部分、３２：内ねじ穴、３３：環状くぼみ槽、３４：はめ込み槽、３５：目盛板、３６：目盛、３７：固定スチールボール、３８：ワッシャー、４０：調整ボタン、４１：固定穴、４２：スチールボール、４３：ねじ、４４：挿入穴、５０：固定ねじ、５１：ねじ込み部分、５２：ねじ穴、５３：トーションばね、５４：止め金、５５：ねじ
【図１】
0003150385.tif 000003
【図２】
0003150385.tif 000004
【図３】
0003150385.tif 000005
【図４】
0003150385.tif 000006
【図５】
0003150385.tif 000007
【図６】
0003150385.tif 000008